(57)【要約】【課題】通気膜の通気機能を損わずに、通気膜を電線導出面に配置する。【解決手段】防水コネクタ１は、ハウジング１０の電線導出面２６に形成され、通気膜６３を収容する収容凹部３１と、電線導出面２６と収容凹部３１を覆うようにハウジング１０に取り付けられた電線カバー５０と、電線カバー５０の内部に形成され、電線導出面２６から導出した電線１５を屈曲させる電線屈曲空間５４と、電線カバー５０に形成され、収容凹部３１の開口部を覆うように電線導出面２６に当接することで収容凹部３１と電線屈曲空間５４を仕切る仕切部５６と、電線導出面２６と仕切部５６との当接領域に形成され、断面が凹凸形状又は段差形状をなす水切り部３７，３８，３９，４０とを備える。【選択図】図１３
2018139179.tif 000002
【特許請求の範囲】
【請求項１】
内部に端子収容室が形成され、外面の一部が電線導出面となっているハウジングと、
電線の端末部に接続され、前記電線を前記電線導出面から前記ハウジングの外部へ導出させた状態で前記端子収容室に挿入される端子金具と、
前記電線導出面に形成され、通気膜を収容する収容凹部と、
前記電線導出面と前記収容凹部を覆う電線カバーと、
前記電線カバーの内部に形成され、前記電線導出面から導出した前記電線を屈曲させる電線屈曲空間と、
前記電線カバーに形成され、前記収容凹部の開口部が覆われるように前記電線導出面に当接され、前記収容凹部と前記電線屈曲空間を仕切る仕切部と、
前記電線導出面と前記仕切部との当接領域に形成され、断面が凹凸形状又は段差形状をなす水切り部とを備えていることを特徴とする防水コネクタ。
【請求項２】
前記収容凹部の開口部が上方に面しており、前記ハウジング内には、前記収容凹部の下面に開口する排水路が形成されていることを特徴とする請求項１記載の防水コネクタ。
【請求項３】
前記排水路における排水経路の途中に形成され、前記排水路を屈曲した経路とする遮蔽部を備えていることを特徴とする請求項２記載の防水コネクタ。
【請求項４】
前記電線を気密状に貫通させた状態で前記ハウジングに取り付けられた一括ゴム栓と、
前記ハウジングに形成され、前記一括ゴム栓を気密状に包囲する周壁部と、
前記一括ゴム栓を貫通する筒状通気部を有し、前記通気膜を収容するホルダとを備え、
前記収容凹部は、前記周壁部の内側から外側に亘って形成されており、
前記排水路の上流端は、前記収容凹部のうち前記周壁部より外側の領域に開口していることを特徴とする請求項１ないし請求項３のいずれか１項に記載の防水コネクタ。
【請求項５】
前記電線カバーに形成され、前記通気膜が前記収容凹部から離脱する方向へ変位することを規制する規制部を備えていることを特徴とする請求項１ないし請求項４のいずれか１項に記載の防水コネクタ。
【発明の詳細な説明】
【技術分野】
【０００１】
本発明は、防水コネクタに関するものである。
【背景技術】
【０００２】
特許文献１には、通気膜を備えた防水栓を、ハウジングのキャビティ内に気密状に挿入したコネクタが開示されている。このコネクタは、ハウジングの内部と外部との間に圧力差が生じたときに、ハウジング内を気密状態に保ちつつ、通気膜を介して空気を流動させることで圧力差を緩和することができる。
【先行技術文献】
【特許文献】
【０００３】
【特許文献１】特開２０１３−１３１４８４号公報
【発明の概要】
【発明が解決しようとする課題】
【０００４】
通気膜が収容されているキャビティは、本来は、端子金具を挿入するための空間であるため、上記のコネクタでは、通気膜を設けるに際して極数を犠牲にしている。この対策としては、ハウジングの電線導出面を電線カバーで覆った形態のコネクタにおいて、電線導出面に形成した収容凹部に通気膜を取り付ける構造が考えられる。しかし、電線カバーは、電線導出面から導出された電線を電線カバーの外部へ引き出すための電線引出用開口部を有している。そのため、電線引出用開口部から浸入した水が収容凹部内に溜まり、その結果、通気膜の通気機能が失われることが懸念される。
【０００５】
本発明は上記のような事情に基づいて完成されたものであって、通気膜の通気機能を損なうことなく、通気膜を電線導出面に配置することを目的とする。
【課題を解決するための手段】
【０００６】
本発明は、
内部に端子収容室が形成され、外面の一部が電線導出面となっているハウジングと、
電線の端末部に接続され、前記電線を前記電線導出面から前記ハウジングの外部へ導出させた状態で前記端子収容室に挿入される端子金具と、
前記電線導出面に形成され、通気膜を収容する収容凹部と、
前記電線導出面と前記収容凹部を覆う電線カバーと、
前記電線カバーの内部に形成され、前記電線導出面から導出した前記電線を屈曲させる電線屈曲空間と、
前記電線カバーに形成され、前記収容凹部の開口部が覆われるように前記電線導出面に当接され、前記収容凹部と前記電線屈曲空間を仕切る仕切部と、
前記電線導出面と前記仕切部との当接領域に形成され、断面が凹凸形状又は段差形状をなす水切り部とを備えているところに特徴を有する。
【発明の効果】
【０００７】
電線カバーの外部から電線屈曲空間内に入り込んだ水が収容凹部の外面や仕切部に付着した場合、その水が、収容凹部内に浸入することが懸念される。しかし、電線導出面と仕切部との当接領域に形成された水切り部の断面形状は、凹凸形状又は段差形状をなしているので、電線屈曲空間内の水が収容凹部に浸入する虞はない。したがって、通気膜の通気機能を損なうことなく、通気膜を電線導出面に配置することができる。
【図面の簡単な説明】
【０００８】
【図１】実施例１のコネクタの斜視図
【図２】図１から電線カバーと電線を外した状態をあらわす斜視図
【図３】電線カバーの斜視図
【図４】レバーとスライダと通気部材の斜視図
【図５】ハウジングに通気部材を取り付けた状態をあらわす平面図
【図６】ハウジングに通気部材を取り付けた状態をあらわす右側面図
【図７】ハウジングに通気部材を取り付けた状態をあらわす正面図
【図８】図５から通気部材を外した状態をあらわす平面図
【図９】コネクタの平面図
【図１０】図９のＡ−Ａ線断面図
【図１１】図１０の部分拡大図
【図１２】図９のＢ−Ｂ線断面図
【図１３】図１２の部分拡大図
【図１４】電線カバーの底面図
【図１５】図１４のＣ−Ｃ線断面図
【図１６】図１４のＤ−Ｄ線断面図
【図１７】実施例２のコネクタにおいて電線カバーと電線を外した状態をあらわす斜視図
【図１８】ハウジングに通気部材を取り付けた状態をあらわす平面図
【図１９】ハウジングに通気部材を取り付けた状態をあらわす右側面図
【図２０】ハウジングに通気部材を取り付けた状態をあらわす正面図
【図２１】図１８から通気部材を外した状態をあらわす平面図
【図２２】電線カバーの底面図
【図２３】コネクタの平面図
【図２４】図２３のＥ−Ｅ線断面図
【図２５】図２４の部分拡大図
【図２６】図２３のＦ−Ｆ線断面図
【図２７】図２６の部分拡大図
【発明を実施するための形態】
【０００９】
本発明は、前記収容凹部の開口部が上方に面しており、前記ハウジング内には、前記収容凹部の下面に開口する排水路が形成されていてもよい。この構成によれば、万一、収容凹部内に水が浸入しても、その浸入した水は排水路を通ってハウジングの外部へ排出される。したがって、収容凹部に水が溜まる虞はない。
【００１０】
本発明は、前記排水路における排水経路の途中に形成され、前記排水路を屈曲した経路とする遮蔽部を備えていてもよい。この構成によれば、排水路の下流端から水が排水路内に浸入して収容凹部側へ移動しても、その水は、屈曲部において移動を遮断されるので、収容凹部に到達する虞はない。
本発明は、前記電線を気密状に貫通させた状態で前記ハウジングに取り付けられた一括ゴム栓と、前記ハウジングに形成され、前記一括ゴム栓を気密状に包囲する周壁部と、前記一括ゴム栓を貫通する筒状通気部を有し、前記通気膜を収容するホルダとを備え、前記収容凹部は、前記周壁部の内側から外側に亘って形成されており、前記排水路の上流端は、前記収容凹部のうち前記周壁部より外側の領域に開口していてもよい。この構成によれば、筒状通気部の形状と排水路の形状を簡素化することが可能である。
【００１１】
本発明は、前記電線カバーに形成され、前記通気膜が前記収容凹部から離脱する方向へ変位することを規制する規制部を備えていてもよい。この構成によれば、収容凹部に弾性変形可能な係止手段を形成しなくても、通気膜が収容凹部から離脱することを防止できるので、収容凹部の形状を簡素化することができる。
【００１２】
＜実施例１＞
以下、本発明を具体化した実施例１を図１〜図１６を参照して説明する。尚、以下の説明において、前後の方向については、図１〜４における右方、及び図５，６，８〜１１，１４，１５における左方を前方と定義する。上下の方向については、図１〜４，６，７，１０〜１３，１５，１６にあらわれる向きを、そのまま上方、下方と定義する。左右の方向については、図５，８における下方を左方と定義し、図１２，１３にあらわれる向きをそのまま左方、右方と定義する。
【００１３】
本実施例１の防水コネクタ１は、ハウジング１０と、複数の雌形の端子金具１４と、一括ゴム栓１９と、シールリング２１と、一対のスライダ４２と、レバー４６と、電線カバー５０と、通気部材６２とを備えて構成されている。ハウジング１０を相手側ハウジングに嵌合した状態では、シールリング２１と一括ゴム栓１９により、ハウジング１０と相手側ハウジング（図示省略）との隙間、及びハウジング１０の内部に、防水コネクタ１の外部から気密状に隔絶された封止空間（図示省略）が構成されるようになっている。
【００１４】
＜ハウジング１０＞
ハウジング１０は、合成樹脂製のインナハウジング１１と、インナハウジング１１に対し上方から被せるように組み付けられた合成樹脂製のアウタハウジング１２とを備えて構成されている。インナハウジング１１の内部には複数の端子収容室１３（図１０を参照）が形成され、各端子収容室１３には、電線１５に接続された端子金具１４が上方（ハウジング１０の背面側）から挿入されている。
【００１５】
インナハウジング１１の上端部には、その上面の外周縁に沿って上方へ角筒状に延出した形態の周壁部１６が形成されている。周壁部１６で囲まれた空間は、全ての端子収容室１３の上端が開口するゴム栓収容空間１７となっている。インナハウジング１１には、ゴム栓収容空間１７をインナハウジング１１内の封止空間に連通させる通気空間１８（図１２を参照）が形成されている。
【００１６】
＜一括ゴム栓１９＞
ゴム栓収容空間１７には、一括ゴム栓１９が収容されている。一括ゴム栓１９の外周はゴム栓収容空間１７の内周に対し気密状に密着している。一括ゴム栓１９には、上下方向に貫通した形態の複数のシール孔２０（図１０を参照）が、各端子収容室１３と個別に対応して形成されている。各シール孔２０は、端子金具１４を端子収容室１３に挿入する際の通過経路となっている。各シール孔２０には、電線１５が気密状に挿通されている。
【００１７】
＜シールリング２１＞
インナハウジング１１の外周には、インナハウジング１１の外周と相手側ハウジングのフード部（図示省略）の内周との間を気密状に封止するためのシールリング２１が取り付けられている。シールリング２１は、インナハウジング１１の下方（ハウジング１０の正面側）から組み付けられ、インナハウジング１１の下端部に取り付けたフロント部材２２（図１２を参照）により組付け状態に保持されている。
【００１８】
＜アウタハウジング１２＞
アウタハウジング１２は、インナハウジング１１に対し上方（背面側）から組み付けられている。図１０，１２に示すように、アウタハウジング１２は、背壁部２３と筒状嵌合部２４とを備えている。背壁部２３は、ゴム栓収容空間１７の上面の開口部を覆うとともに、一括ゴム栓１９の上面（背面）に当接している。図２，５，８に示すように、背壁部２３には、上下方向に貫通する複数の挿通孔２５が、夫々、複数の端子収容室１３及び複数のシール孔２０と個別に対応して形成されている。各挿通孔２５は、端子金具１４を端子収容室１３に挿入する際の通過経路となっている。各挿通孔２５には、端子金具１４に固着された電線１５が挿通されている。背壁部２３（ハウジング１０）の上面は、複数本の電線１５を上方へ導出させる電線導出面２６となっている。
【００１９】
筒状嵌合部２４は、背壁部２３の外周縁から下方へ延出し、インナハウジング１１（周壁部１６）の外周を全周に亘って包囲した形態である。インナハウジング１１の外周と筒状嵌合部２４との内周との間の空間は、フード部を収容するための嵌合空間３５となっている。相手側ハウジングとハウジング１０を嵌合した状態では、フード部がインナハウジング１１を包囲し、筒状嵌合部２４がフード部を包囲する。
【００２０】
図１２，１３に示すように、筒状嵌合部２４を構成する左右一対の側壁部２７には、側壁部２７の内面に開口し、且つ前後方向に延びる左右一対のガイド凹部２８が形成されている。左右両ガイド凹部２８の上端部には、夫々、背壁部２３から下方へ突出し、且つ前後方向に長い支持板部２９が形成されている。左右両支持板部２９には、ガイド凹部２８側へ突出した形態の複数の摺動ピン３０が、前後方向に間隔を空けて形成されている。
【００２１】
＜収容凹部３１＞
アウタハウジング１２には、後述する通気部材６２を収容するための収容凹部３１が形成されている。収容凹部３１は、背壁部２３の上面（外面）の右前端部を凹ませた形態である。平面視において、収容凹部３１は周壁部１６の内部（ゴム栓収容空間１７）から外部に亘って形成されている。即ち、収容凹部３１の前端部はゴム栓収容空間１７の外部（周壁部１６の前端より前方）に配され、収容凹部３１の後端部はゴム栓収容空間１７の内部に配されている。
【００２２】
また、収容凹部３１の右端部はゴム栓収容空間１７の外部（周壁部１６の右端より右方）に配され、収容凹部３１の左端部はゴム栓収容空間１７の内部に配されている。収容凹部３１の上面は、その全領域に亘って電線導出面２６に開口している。収容凹部３１の下面には、ゴム栓収容空間１７に連通する連通孔３２が形成されている。
【００２３】
＜排水路３３＞
収容凹部３１の下面には、ガイド凹部２８の上端に連通する排水孔３４（図８，１３を参照）が形成されている。排水孔３４は、左右方向において支持板部２９に近い位置に配されている。排水孔３４、ガイド凹部２８の内面とスライダ４２との隙間、筒状嵌合部２４とインナハウジング１１の外周との間の嵌合空間３５は、排水路３３を構成している。排水路３３は、収容凹部３１内に水や液体が浸入した場合に、その水や液体をハウジング１０の外部へ排出させるための排水経路として機能する。
【００２４】
排水路３３の途中には、遮蔽部３６（図１３を参照）が形成されている。遮蔽部３６は、支持板部２９のうちゴム栓収容空間１７に臨む面から側方へ突出した形態である。遮蔽部３６の上面は、排水孔３４の下端の開口部に対し間隔を空けて対向している。遮蔽部３６の突出端面は、スライダ４２の内面に対して摺接するか、若しくはスライダ４２の内面と僅かなクリアランスを空けて対向する形態となっている。排水路３３のうち遮蔽部３６が形成されている領域は、遮蔽部３６の上下両面及び突出端面に沿って屈曲した経路となっている。
【００２５】
＜電線導出面２６の水切り手段＞
電線導出面２６には、平面視において収容凹部３１を概ね全周に亘って包囲する形態の水切り手段が形成されている。図５，８に示すように、水切り手段は、前縁水切り部３７（請求項に記載の水切り部）と、右側縁水切り部３８（請求項に記載の水切り部）と、後縁水切り部３９（請求項に記載の水切り部）と、弧状水切り部４０（請求項に記載の水切り部）とから構成されている。
【００２６】
前縁水切り部３７は、収容凹部３１の前縁に沿って電線導出面２６から段差状に突出した形態である。前縁水切り部３７の平面形状は、屈曲部を有し、全体として左右方向に延びた形状である。前縁水切り部３７の前面（外面）は、電線導出面２６から段差状に且つ斜めに立ち上がった形態である。右側縁水切り部３８は、収容凹部３１の右側縁に沿って電線導出面２６から段差状に突出した形態である。右側縁水切り部３８の右側面（外面）は、前縁水切り部３７の前面の右端から後方へ直線状に延びており、電線導出面２６から段差状に且つ斜めに立ち上がった形態である。
【００２７】
後縁水切り部３９は、右側縁水切り部３８の上面後端から段差状に突出した形態である。後縁水切り部３９の前面は、平面視において右側縁水切り部３８の後端から左方へ短く延びており、右側縁水切り部３８の上面から段差状に且つ斜めに立ち上がった形態である。弧状水切り部４０は、平面視において、後縁水切り部３９の左端近傍から前縁水切り部３７の左端に亘る略四半円弧リブ４１の内周面に形成されている。弧状水切り部４０は、略四半円弧リブの内周面を溝状に凹ませた形状である。
【００２８】
＜スライダ４２＞
左右一対のスライダ４２は、図４に示すように、前後方向に細長く、且つ板厚方向を左右方向に向けた板状をなしている。スライダ４２は、その内面に形成した前後方向の摺動溝４３をインナハウジング１１の摺動ピン３０に嵌合させた状態でガイド凹部２８に嵌合され、前後方向にスライドし得るようになっている。スライダ４２の内面には前後方向に並ぶ３つのカム溝４４が形成され、スライダ４２の外側面の後端部には従動孔４５が形成されている。
【００２９】
＜レバー４６＞
図４に示すように、レバー４６は、全体として略方形の枠状をなす。レバー４６を構成する左右一対の板状アーム部４７には、その内面後端部から突出する一対の回動軸４８と一対の駆動ピン４９とが形成されている。レバー４６は、回動軸４８をアウタハウジング１２の軸受部（図示省略）に係止させることにより、初期位置と嵌合位置との間で回動し得るようにアウタハウジング１２に取り付けられている。
【００３０】
レバー４６の駆動ピン４９はスライダ４２の従動孔４５に嵌合されており、レバー４６を初期位置から嵌合位置へ回動させると、テコの原理による倍力作用によってスライダ４２が初期位置から嵌合位置へスライドする。カム溝４４に相手側ハウジングのカムフォロア（図示省略）を嵌合した状態で、スライダ４２が初期位置から嵌合位置へスライドすると、カム溝４４とカムフォロアによる倍力作用により、ハウジング１０と相手側ハウジングが嵌合するようになっている。
【００３１】
＜電線カバー５０＞
図１０に示すように、電線カバー５０は、ハウジング１０（アウタハウジング１２）の電線導出面２６から上方へ導出された複数本の電線１５を後方へ転向させるものである。電線カバー５０は、アウタハウジング１２に対し前方からスライドさせるようにして組み付けられ、電線導出面２６の全領域を覆っている。
【００３２】
電線カバー５０は、前板部５１と、前板部５１の上端縁から後方へ延出した上板部５２と、上板部５２の左右両側縁から下方へ延出し且つ前板部５１の左右両側縁に繋がる左右一対の側板部５３とを備えて構成されている。電線カバー５０の内部空間は、電線導出面２６から上向きに導出した電線１５を屈曲させて後方へ転向させるための電線屈曲空間５４となっている。電線屈曲空間５４の下面は、電線カバー５０の下面に開放されることで電線導出面２６に臨んでいる。また、電線屈曲空間５４の後面は、電線カバー５０の後面に電線導出口５５として開放されている。
【００３３】
＜仕切部５６＞
電線カバー５０には、前板部５１の内面下端部と右側の側板部５３の内面下端部とに繋がった形態の仕切部５６が形成されている。電線カバー５０をハウジング１０に取り付けた状態では、仕切部５６が、収容凹部３１の開口部を覆うように電線導出面２６に当接し、この当接により収容凹部３１が電線屈曲空間５４から仕切られている。また、仕切部５６の下面は、通気部材６２の上面に対し、当接又は接近して対向する規制部５７として機能する。仕切部５６は、前後方向において電線導出口５５とは反対側に配されている。
【００３４】
＜電線カバー５０の水切り手段＞
仕切部５６には、その全周に亘り、ハウジング１０（電線導出面２６）の水切り手段と液密状に嵌合する水切り手段が形成されている。図１４に示すように、仕切部５６の水切り手段は、前縁リブ５８（請求項に記載の水切り部）と、右側縁リブ５９（請求項に記載の水切り部）と、後縁段部６０（請求項に記載の水切り部）と、弧状リブ６１（請求項に記載の水切り部）とから構成されている。
【００３５】
前縁リブ５８の底面形状は、屈曲部を有し、全体として左右方向に延びた形状である。前縁リブ５８の後面は、その全長に亘り電線導出面２６の前縁水切り部３７に嵌合している。右側縁リブ５９は、全体として前後方向に直線状に延びている。右側縁リブ５９の左側面は、その全長に亘り電線導出面２６の右側縁水切り部３８に嵌合している。右側縁水切り部３８と右側縁リブ５９は、ハウジング１０に対する電線カバー５０の組付け方向と平行である。
【００３６】
後縁段部６０の後面は、底面視において、右側縁リブ５９の後端から左方へ短く延びている。後縁段部６０の後面は、後縁水切り部３９の前面に嵌合している。弧状リブ６１は、底面視において、後縁段部６０の左端近傍から前縁リブ５８の左端に亘って形成され、仕切部５６の外周面から突出した形態である。弧状リブ６１は、電線導出面２６の溝状の弧状水切り部４０に嵌合されている。
【００３７】
＜通気部材６２＞
通気部材６２は、円板状をなす通気膜６３と、通気膜６３を保持した状態でハウジング１０に取り付けられるホルダ６４（図４を参照）とを備えている。通気膜６３は、空気が通過することは許容するが、液体（水分）を通過させない材料からなる。具体例としては、多孔質ＰＴＦＥ膜が用いられる。
【００３８】
ホルダ６４は、合成樹脂製であり、通気膜６３を収容する収容部６５（図１１，１３を参照）と、収容部６５から下方へ突出した筒状通気部６６とを備えた単一部品である。収容部６５の内部は、収容部６５の外周に形成した通気孔６７を介してホルダ６４の外部と連通している。筒状通気部６６は、軸線を上下方向（通気膜６３の膜厚方向と略平行な方向）に向けた管状をなし、収容部６５の中心から外周側へ偏心した位置に配置されている。筒状通気部６６は、連通孔３２と一括ゴム栓１９とを貫通して封止空間に臨んでおり、封止空間内と収容部６５の内部とを連通させている。
【００３９】
＜実施例１の作用及び効果＞
本実施例１の防水コネクタ１は、ハウジング１０と複数の端子金具１４と通気膜６３と電線カバー５０とを備えている。ハウジング１０の内部には端子収容室１３が形成され、ハウジング１０の外面の一部は電線導出面２６となっている。端子金具１４は、電線１５の端末部に接続されており、電線１５を電線導出面２６からハウジング１０の外部（上方）へ導出させた状態で端子収容室１３に挿入されている。
【００４０】
また、電線導出面２６には、通気膜６３を収容するための収容凹部３１が形成されており、電線カバー５０は、電線導出面２６と収容凹部３１を覆うようにハウジング１０取り付けられている。電線カバー５０の内部には、電線導出面２６から導出した電線１５を屈曲させる電線屈曲空間５４が形成されている。同じく電線カバー５０の内部には、収容凹部３１の開口部を覆うように電線導出面２６に当接することで収容凹部３１と電線屈曲空間５４とを仕切る仕切部５６が形成されている。
【００４１】
電線カバー５０の内部（電線屈曲空間５４）には電線導出口５５から水が入り込むことがあるため、入り込んだ水が、通気膜６３の収容凹部３１に溜まり、通気膜６３による通気機能が損なわれてしまうことが懸念される。しかし、収容凹部３１の上面の開口部が仕切部５６で塞がれていて、収容凹部３１は電線屈曲空間５４から仕切られているので、収容凹部３１内に水が浸入する虞はない。
【００４２】
また、電線導出面２６における収容凹部３１の開口縁部と仕切部５６との当接部分の隙間が、水の浸入経路となることも懸念される。即ち、電線カバー５０の外部から電線屈曲空間５４内に入り込んだ水が収容凹部３１の外面や仕切部５６に付着した場合、その水が、収容凹部３１内に浸入することが懸念される。そこで、電線導出面２６と仕切部５６との当接領域には、断面が凹凸形状や段差形状等のラビリンス形状、即ち屈曲した形状の水切り部が設けられている。
【００４３】
水切り部の具体的構成は、次の通りである。電線導出面２６の前縁水切り部３７と仕切部５６の前縁リブ５８とが前後方向に当接し、電線導出面２６の右側縁水切り部３８と仕切部５６の右側縁リブ５９とが左右方向に当接し、電線導出面２６の後縁水切り部３９と仕切部５６の後縁段部６０とが前後方向に当接し、電線導出面２６の弧状水切り部４０と仕切部５６の弧状リブ６１とが前後方向又は左右方向に当接している。
【００４４】
電線導出面２６と仕切部５６との当接領域に形成されて互いに嵌合している上記水切り部の断面形状は、凹凸形状又は段差形状をなしているので、電線屈曲空間５４内の水が収容凹部３１に浸入する虞はない。したがって、通気膜６３の通気機能を損なうことなく、通気膜６３を電線導出面２６に配置することが実現されている。
【００４５】
また、収容凹部３１の開口部は上方に面しているため、電線導出面２６と仕切部５６の寸法公差が原因となって収容凹部３１内に水が浸入することが懸念される。そこで、その対策として、ハウジング１０内に、収容凹部３１の下面に開口する排水路３３を形成した。排水路３３を設けたことにより、万一、収容凹部３１内に水が浸入しても、その浸入した水は排水路３３を通ってハウジング１０の外部へ排出される。したがって、収容凹部３１内に水が溜まる虞はない。
【００４６】
また、排水路３３における排水経路の途中には、排水路３３を屈曲した経路とする遮蔽部３６が設けられている。この構成によれば、排水路３３の下流端（収容凹部３１の下方）から水が排水路３３内に浸入して収容凹部３１側へ移動したとしても、その水は、屈曲部において移動を遮断されるので、収容凹部３１に到達する虞はない。
【００４７】
また、防水コネクタ１は、電線１５を気密状に貫通させた状態でハウジング１０に取り付けられた一括ゴム栓１９を有している。ハウジング１０の上端部には周壁部１６が形成されており、一括ゴム栓１９は周壁部１６によって気密状に包囲されている。通気膜６３はホルダ６４の収容部６５内に収容されており、ホルダ６４には、一括ゴム栓１９を上下方向に貫通して収容部６５内と封止空間とを連通させる筒状通気部６６が形成されている。収容凹部３１は、周壁部１６の内側から外側に亘って形成されており、排水路３３の上流端（排水孔３４）は、収容凹部３１のうち周壁部１６より外側の領域に開口している。この構成によれば、筒状通気部６６の形状と排水路３３の形状を、屈曲させずに簡素化することが可能である。
【００４８】
また、電線カバー５０には、通気部材６２（通気膜６３）が収容凹部３１から離脱する方向へ変位することを規制する規制部５７が形成されている。規制部５７は、通気部材６２のホルダ６４の収容部６５の上面に当接し、又は接近してい対向するように位置する。この構成によれば、収容凹部３１に弾性変形可能な係止手段を形成しなくても、通気膜６３が収容凹部３１から離脱することを防止できるので、収容凹部３１の形状を簡素化することができる。
【００４９】
＜実施例２＞
次に、本発明を具体化した実施例２を図１７〜図２７を参照して説明する。本実施例２の防水コネクタ２は、ハウジング７０と、複数の雌形の端子金具１４（図示省略）と、一括ゴム栓１９と、シールリング２１と、一対のスライダ４２と、レバー４６と、電線カバー８８と、通気部材６２とを備えて構成されている。防水コネクタ２のうちハウジング７０の基本構成、端子金具１４、一括ゴム栓１９の基本構成、シールリングの基本構成、スライダの基本構成、レバーの基本構成及び通気部材６２は、実施例１と概ね同じ又は同一であるため、説明は省略する。
【００５０】
尚、以下の説明において、前後の方向については、図１８，２１，２２，２４，２５における右方を前方と定義する。上下の方向については、図１７，１９，２０，２４〜２７にあらわれる向きを、そのまま上方、下方と定義する。左右の方向については、図１８，２１における上方を右方と定義し、図２０，２６，２７にあらわれる向きを、そのまま左方、右方と定義する。
【００５１】
＜収容凹部７３＞
ハウジング７０構成するアウタハウジング７１には、後述する通気部材６２を収容するための収容凹部７３が形成されている。収容凹部７３は、背壁部７２の上面（外面）の右前端部を凹ませた形態である。図２１に示すように、平面視において、収容凹部７３は、ハウジング７０を構成するインナハウジング７４の周壁部７５の内部（ゴム栓収容空間７６）から外部に亘って形成されている。
【００５２】
即ち、収容凹部７３の前端部はゴム栓収容空間７６の外部（周壁部７５の前端より前方）に配され、収容凹部７３の後端部はゴム栓収容空間７６の内部に配されている。また、収容凹部７３の右端部はゴム栓収容空間７６の外部（周壁部７５の右端より右方）に配され、収容凹部７３の左端部はゴム栓収容空間７６の内部に配されている。収容凹部７３の上面は、その全領域に亘って電線導出面８５に開口している。収容凹部７３の下面には、ゴム栓収容空間７６に連通する連通孔７７が形成されている（図２５参照）。
【００５３】
＜排水路７８＞
収容凹部７３の下面には、図２６に示すように、アウタハウジング７１の側壁部のガイド凹部７９の上端に連通する排水孔８０が形成されている。排水孔８０は、左右方向において支持板部８１に近い位置に配されている。排水孔８０、ガイド凹部７９の内面とスライダとの隙間、アウタハウジング７１の筒状嵌合部８２とインナハウジング７４の外周との間の嵌合空間８３は、排水路７８を構成している。排水路７８は、収容凹部７３内に水等の液体が浸入した場合に、その液体をハウジング７０の外部へ排出させるための排水経路として機能する。
【００５４】
排水路７８の途中には、遮蔽部８４が形成されている。遮蔽部８４は、支持板部８１のうちゴム栓収容空間７６に臨む面から側方へ突出した形態である。遮蔽部８４の上面は、排水孔８０の下端の開口部に対し間隔を空けて対向している。遮蔽部８４の突出端面は、スライダの内面に対して摺接するか、若しくはスライダの内面と僅かなクリアランスを空けて対向する形態となっている。排水路７８のうち遮蔽部８４が形成されている領域は、遮蔽部８４の上下両面及び突出端面に沿って屈曲した経路となっている。
【００５５】
＜電線導出面８５の水切り手段＞
電線導出面８５には、図１８，２１に示すように、平面視において収容凹部７３を全周に亘って包囲する形態の水切り手段が形成されている。水切り手段は、電線導出面８５から立ち上がった上向きリブ８６（請求項に記載の水切り部）からなる。上向きリブ８６の外周面は、電線導出面８５に対して斜めをなし、且つ電線突出面と直交する上下方向に対しても斜めをなしている。また、アウタハウジング７１の上面（電線導出面８５）の前端部には、電線カバー８８をハウジング７０に対し取付け状態にロックするための左右一対のロック突起８７が形成されている。右側のロック突起８７は、上向きリブ８６の右端部と隣り合うように配されている。
【００５６】
＜電線カバー８８＞
図２４に示すように、電線カバー８８は、ハウジング７０（アウタハウジング７１）の電線導出面８５から上方へ導出された複数本の電線１５を後方へ転向させるものである。電線カバー８８は、アウタハウジング７１に対し上方から被せるようにして組み付けられ、電線導出面８５の全領域を覆っている。
【００５７】
電線カバー８８は、前板部８９と、前板部８９の上端縁から斜め上後方へ延出した傾斜板部９０と、傾斜板部９０の上端から後方へ延出した上板部９１と、傾斜板部９０及び上板部９１の左右両側縁から下方へ延出し且つ前板部８９の左右両側縁に繋がる左右一対の側板部９２とを備えて構成されている。電線カバー８８の内部空間は、電線導出面８５から上向きに導出した電線１５を屈曲させて後方へ転向させるための電線屈曲空間９３となっている。電線屈曲空間９３は、電線カバー８８の下面に開放されることで電線導出面８５に臨んでいる。また、電線屈曲空間９３は、電線カバー８８の後面に電線導出口９４として開放されている。
【００５８】
＜仕切部９５＞
電線カバー８８には、前板部８９の内面と、傾斜板部９０の前端部内面と、右側の側板部９２の内面とに繋がった形態の仕切部９５が形成されている。電線カバー８８をハウジング７０に取り付けた状態では、仕切部９５が、収容凹部７３の開口部を覆うように電線導出面８５に当接し、この当接により収容凹部７３が電線屈曲空間９３から仕切られている。また、仕切部９５の下端部には、通気部材６２の上面に対し、当接又は接近して対向する規制部９６が形成されている。仕切部９５は、前後方向において電線導出口９４とは反対側に配されている。
【００５９】
＜電線カバー８８の水切り手段＞
仕切部９５の全周には、ハウジング７０（電線導出面８５）の水切り手段と全周に亘って液密状に嵌合する水切り手段として、下向きリブ９７（請求項に記載の水切り部）が形成されている。図２２に示すように、下向きリブ９７は、底面視において、仕切部９５の外周に沿い且つ規制部９６を包囲するように配されている。また、下向きリブ９７は、規制部９６より上方の位置に配されている。下向きリブ９７の内周面は、水平面に対して斜めをなし、且つ上下方向に対しても斜めをなしている。
【００６０】
＜実施例２の作用及び効果＞
本実施例２の防水コネクタ２は、ハウジング７０と複数の端子金具１４と通気膜６３と電線カバー８８とを備えている。ハウジング７０の内部には端子収容室（図示省略）が形成され、ハウジング７０の外面の一部は電線導出面８５となっている。端子金具１４は、電線１５の端末部に接続されており、電線１５を電線導出面８５からハウジング７０の外部（上方）へ導出させた状態で端子収容室に挿入されている。
【００６１】
また、電線導出面８５には、通気部材６２（通気膜６３）を収容するための収容凹部７３が形成されており、電線カバー８８は、電線導出面８５と収容凹部７３を覆うようにハウジング７０取り付けられている。電線カバー８８の内部には、電線導出面８５から導出した電線１５を屈曲させる電線屈曲空間９３が形成されている。同じく電線カバー８８の内部には、収容凹部７３の開口部を覆うように電線導出面８５に当接することで収容凹部７３と電線屈曲空間９３とを仕切る仕切部９５が形成されている。
【００６２】
電線カバー８８の内部（電線屈曲空間９３）には電線導出口９４から水が入り込むことがあるため、入り込んだ水が、通気膜６３の収容凹部７３に溜まり、通気膜６３による通気機能が損なわれてしまうことが懸念される。しかし、収容凹部７３の上面の開口部が仕切部９５で塞がれていて、収容凹部７３は電線屈曲空間９３から仕切られているので、収容凹部７３内に水が浸入する虞はない。
【００６３】
また、電線導出面８５における収容凹部７３の開口縁部と仕切部９５との当接部分の隙間が、水の浸入経路となることも懸念される。即ち、電線カバー８８の外部から電線屈曲空間９３内に入り込んだ水が収容凹部７３の外面や仕切部９５に付着した場合、その水が、収容凹部７３内に浸入することが懸念される。そこで、電線導出面８５と仕切部９５との当接領域には、断面が凹凸形状や段差形状等のラビリンス形状、即ち屈曲した形状の水切り部が設けられている。
【００６４】
水切り部の具体的構成は、次の通りである。電線導出面８５の上向きリブ８６の外周面と電線カバー８８（仕切部９５）の下向きリブ９７の内周面とが、全周に亘って当接している。上向きリブ８６と下向きリブ９７の断面形状は段差形状をなしているので、電線屈曲空間９３内の水が収容凹部７３に浸入する虞はない。したがって、通気膜６３の通気機能を損なうことなく、通気膜６３を電線導出面８５に配置することができる。
【００６５】
また、収容凹部７３の開口部は上方に面しているため、電線導出面８５と仕切部９５の寸法公差が原因となって収容凹部７３内に水が浸入することが懸念される。そこで、その対策として、ハウジング７０内に、収容凹部７３の下面に開口する排水路７８を形成した。排水路７８を設けたことにより、万一、収容凹部７３内に水が浸入しても、その浸入した水は排水路７８を通ってハウジング７０の外部へ排出される。したがって、収容凹部７３内に水が溜まる虞はない。
【００６６】
また、排水路７８における排水経路の途中には、排水路７８を屈曲した経路とする遮蔽部８４が設けられている。この構成によれば、排水路７８の下流端（収容凹部７３の下方）から水が排水路７８内に浸入して収容凹部７３側へ移動したとしても、その水は、屈曲部において移動を遮断されるので、収容凹部７３に到達する虞はない。
【００６７】
また、防水コネクタ２は、電線１５を気密状に貫通させた状態でハウジング７０に取り付けられた一括ゴム栓１９を有している。ハウジング７０の上端部には周壁部７５が形成されており、一括ゴム栓１９は周壁部７５によって気密状に包囲されている。通気膜６３はホルダ６４の収容部内に収容されており、ホルダ６４には、一括ゴム栓１９を上下方向に貫通して収容部内と封止空間（図示省略）とを連通させる筒状通気部６６が形成されている。収容凹部７３は、周壁部７５の内側から外側に亘って形成されており、排水路７８の上流端（排水孔８０）は、収容凹部７３のうち周壁部７５より外側の領域に開口している。この構成によれば、筒状通気部の形状と排水路７８の形状を、屈曲させずに簡素化することが可能である。
【００６８】
また、電線カバー８８には、通気部材６２（通気膜６３）が収容凹部７３から離脱する方向へ変位することを規制する規制部９６が形成されている。規制部９６は、通気部材６２のホルダ６４の収容部の上面に当接し、又は接近してい対向するように位置する。この構成によれば、収容凹部７３に弾性変形可能な係止手段を形成しなくても、通気膜６３が収容凹部７３から離脱することを防止できるので、収容凹部７３の形状を簡素化することができる。また、ハウジング７０に対する電線カバー８８の組付け方向は下向きであるから、下向きに突出した形態の規制部９６を、収容凹部７３の内部に入り込ませて通気部材６２の浮き上がりを確実に防止できる。
【００６９】
＜他の実施例＞
本発明は上記記述及び図面によって説明した実施例に限定されるものではなく、例えば次のような実施例も本発明の技術的範囲に含まれる。
（１）上記実施例１，２では、ハウジングに排水路を形成したが、ハウジングは排水路を有しない形態であってもよい。
（２）上記実施例１，２では、電線導出面における防水手段として一括ゴム栓を用いたが、これに限らず、各電線に個別に取り付けた個別ゴム栓で、各端子収容室の開口部を封止してもよい。
（３）上記実施例１，２では、排水路における排水経路の途中に屈曲した形状の遮蔽部を形成したが、排水路は屈曲部を有しない形態であってもよい。
（４）上記実施例１，２では、収容凹部が周壁部の内側から外側に亘って形成されているが、収容凹部の形成領域は、周壁部の内側のみでもよく、周壁部の外側のみでもよい。前者の場合、排水路を屈曲した形状とすることで、排水路を周壁部の外部に配することができ、後者の場合は、筒状通気部を屈曲した形状とすることで、筒状通気を周壁部の内部に配することができる。
（５）上記実施例１，２では、通気膜が収容凹部から離脱するのを規制する手段として、電線カバーに規制部を形成したが、これに限らず、収容凹部に形成した弾性変形可能な係止手段によって通気膜の離脱を規制してもよい。
【符号の説明】
【００７０】
１，２…防水コネクタ
１０，７０…ハウジング
１３…端子収容室
１４…端子金具
１５…電線
１６，７５…周壁部
１９…一括ゴム栓
２６，８５…電線導出面
３１，７３…収容凹部
３３，７８…排水路
３６，８４…遮蔽部
３７…前縁水切り部（水切り部）
３８…右側縁水切り部（水切り部）
３９…後縁水切り部（水切り部）
４０…弧状水切り部（水切り部）
５０，８８…電線カバー
５４，９３…電線屈曲空間
５６，９５…仕切部
５７，９６…規制部
５８…前縁リブ（水切り部）
５９…右側縁リブ（水切り部）
６０…後縁段部（水切り部）
６１…弧状リブ（水切り部）
６３…通気膜
６４…ホルダ
６６…筒状通気部
８６…上向きリブ（水切り部）
９７…下向きリブ（水切り部）
【図１】
2018139179.tif 000003
【図２】
2018139179.tif 000004
【図３】
2018139179.tif 000005
【図４】
2018139179.tif 000006
【図５】
2018139179.tif 000007
【図６】
2018139179.tif 000008
【図７】
2018139179.tif 000009
【図８】
2018139179.tif 000010
【図９】
2018139179.tif 000011
【図１０】
2018139179.tif 000012
【図１１】
2018139179.tif 000013
【図１２】
2018139179.tif 000014
【図１３】
2018139179.tif 000015
【図１４】
2018139179.tif 000016
【図１５】
2018139179.tif 000017
【図１６】
2018139179.tif 000018
【図１７】
2018139179.tif 000019
【図１８】
2018139179.tif 000020
【図１９】
2018139179.tif 000021
【図２０】
2018139179.tif 000022
【図２１】
2018139179.tif 000023
【図２２】
2018139179.tif 000024
【図２３】
2018139179.tif 000025
【図２４】
2018139179.tif 000026
【図２５】
2018139179.tif 000027
【図２６】
2018139179.tif 000028
【図２７】
2018139179.tif 000029